(57)【要約】本発明は周縁が融着された第１シート材１０１と第２シート材１０２との間の空間に液体を収納し、ストロー１１１を内蔵するストロー内蔵型パウチに関し、前記パウチ内の底部分で前記第１シート材１０１と前記第２シート材１０２とが会う基底線１２０は最低点１２１から上向きの直線傾斜を有して前記最低点１２１と前記直線傾斜が逆三角形態を成し、前記ストロー１１１の下端末１１１Ａは前記最低点１２１に位置するが、その状態を保持するように前記ストローの下端が前記第１シート材１０１または前記第２シート１０２に固着されたことを特徴とする。
2019500287.tif 000002
【特許請求の範囲】
【請求項１】
周縁が融着された第１シート材と第２シート材との間の空間に液体を収納し、ストローを内蔵するストロー内蔵型パウチにおいて、
前記パウチはベースのない平板型であって、
前記パウチ内の底部分で前記第１シート材と前記第２シート材とが会う基底線は最低点１２１、２２１から上向きの直線傾斜を有して前記最低点１２１、２２１と前記直線傾斜が逆三角形態を成し、前記ストローの下端末１１１Ａ、２１１Ａは前記最低点１２１、２２１に位置するが、その状態を保持するように前記ストローの下端が前記第１シート材または前記第２シートに固着され、
前記ストローは前記第１シート材または前記第２シート材と融着され、
前記ストローは２以上の樹脂層で構成されるが、最外角にある樹脂層の融点がそれより内側にある他の樹脂層の融点より低いことを特徴とするストロー内蔵型パウチ。
【請求項２】
周縁が融着された第１シート材と第２シート材との間の空間に液体を収納し、ストローを内蔵するストロー内蔵型パウチにおいて、
前記パウチは前記第１シート材の下端部と前記第２シート材の下端部との間にベースが介在された直立型であって、
前記パウチ内の底部分で、前記第１シート材と前記ベースとが会う第１基底線は前記第１最低点から上向きの直線傾斜を有して前記第１最低点とこれからの直線傾斜が逆三角形態を成し、前記第２シート材と前記ベースとが会う第２基底線は前記第２最低点から上向きの直線傾斜を有して前記第２最低点とこれからの直線傾斜が逆三角形態を成し、
前記ストローの下端末は前記第１最低点または前記第２最低点に位置するが、その状態を保持するように前記ストローの下端が前記ベース、前記第１シート材または前記第２シート材に固着されたことを特徴とするストロー内蔵型パウチ。
【請求項３】
前記ストローは前記第１シート材または前記第２シート材と融着され、前記ストローは２以上の樹脂層で構成されるが、最外角にある樹脂層の融点がそれより内側にある他の樹脂層の融点より低いことを特徴とする請求項２に記載のストロー内蔵型パウチ。
【請求項４】
前記ストローには直径０．１ｍｍ〜３．５ｍｍの大きさのピンホールが一つ以上形成されたことを特徴とする請求項１または２に記載のストロー内蔵型パウチ。
【請求項５】
前記第１シート材または前記第２シート材には内側に突出される複数の突起部が形成されたことを特徴とする請求項１または２に記載のストロー内蔵型パウチ。
【請求項６】
前記第１シート材または前記第２シート材には前記ストローの下端末を少なくとも露出する透明窓または半透明窓が形成されたことを特徴とする請求項１または２に記載のストロー内蔵型パウチ。
【請求項７】
前記第１シート材または前記第２シート材の外側表面には前記ストローと対応する位置、または前記ストローの下端末と対応する位置にストロー模様の絵やストローを表示する絵が印刷されたことを特徴とする請求項１または２に記載のストロー内蔵型パウチ。
【請求項８】
前記ストローの下端には湾曲部が形成され、
前記ストローの下端末は前記パウチの中央部と辺縁との間に位置することを特徴とする請求項１または２に記載のストロー内蔵型パウチ。
【請求項９】
前記第１最低点または前記第２最低点の中の何れか一つの位置は他の一つの位置より１ｍｍ以上低く形成されたことを特徴とする請求項２に記載のストロー内蔵型パウチ。
【請求項１０】
前記第１シート材または前記第２シート材には計量用目盛り表示窓が形成されたことを特徴とする請求項１または２に記載のストロー内蔵型パウチ。
【請求項１１】
前記融着された周縁には指掛け用穿孔が形成されたことを特徴とする請求項１または２に記載のストロー内蔵型パウチ。
【請求項１２】
前記第１シート材または前記第２シート材は前記液体が見えるように素地を薄い単色で色相処理した半透過性であることを特徴とする請求項１または２に記載のストロー内蔵型パウチ。
【請求項１３】
前記ストローは前記融着された周縁の中で何れか一側面の側面融着部と近接させた状態で前記第１シート材及び前記第２シート材と融着されるが、前記側面融着部と、前記第１シート材と前記ストローが融着された第１重畳融着部と、前記第２シート材と前記ストローが融着された第２重畳融着部がＹ字状のビームを形成することを特徴とする請求項１または２に記載のストロー内蔵型パウチ。
【請求項１４】
前記パウチの上端部は瓶の首形状、動物形状、円形、三角形、四角形、六角形またはキャラクター形状からなることを特徴とする請求項１または２に記載のストロー内蔵型パウチ。
【発明の詳細な説明】
【技術分野】
【０００１】
本発明は平板型及び直立型のストロー内蔵型パウチに関する。
【背景技術】
【０００２】
飲用水はガラス瓶、カン、紙パック、プラスチックブロー容器など硬い固形容器に盛られて流通されたりするが、近来には合成樹脂フィルムシート類で作った小型パウチ類がたくさん用いられている。
【０００３】
飲む時頭を反らさなければならない点は固形容器でもパウチでもすべての容器で同じであるが、特にパウチはふにゃふにゃして飲用姿勢が不安で口の中に注ぎ込む形で飲むようになり、飲みながら下にこぼしたり、服を汚染させることもあって、別途のコップやストローを使う場合が多い。
【０００４】
別途のストローを使う代わりに、ストローがパウチの内部に内蔵されているストロー内蔵型パウチに関する非常に多様な技術が出願されて公開されている。
【０００５】
大韓民国登録特許１０−０７８２０３９（「ストローが内蔵された液体包装用パウチ及びストロー」、２００７年１１月２８日登録）によれば、ストローに融着片を巻いた後、次の融着片の一端をパウチの周縁に一緒に融着してストローをパウチの内部に固定する技術が公開されている。
【０００６】
また、大韓民国公開特許公報１０−２００７−００４１６９３（「ストローが内蔵されたパウチ」、２００７年４月１９日公開）によれば、パウチ周縁の融着部にストローを挿入することができる空間を形成し、パウチを切開してストローの上端を露出させることができる技術が公開されている。
【０００７】
また大韓民国登録特許公報１０−０４５６０３０（「ストローが内蔵されたスタンディング容器」、２００４年１０月２８日登録）によれば、パウチの上部一側に所定深みで切開されて形成された区画溝によって上部とは区画されたまま切取溝が形成された封切り部を形成し、パウチ内の上端が上記切取溝より高く位置するストローが内側に固定される技術が公開されている。
【０００８】
また、大韓民国公開特許公報１０−２０１１−００３７１８６（「ストロー内蔵型スタンディング容器」、２０１１年４月１３日公開）によれば、パウチの一側に形成された切取溝によって区画される切取部と切取部の内側に一端が具備され、他端はパウチの本体内部に固定され、直径が互いに異なる管形部材が相互嵌め込まれて選択的に長さが延長される多段ストローが構成される技術が公開されている。
【０００９】
しかしながら、前述した従来技術においては様々な改善すべき課題があり、まず、前述した従来技術では、飲用後、パウチの底に相当量の残留液が残されるという問題点がある。
【００１０】
特に、パウチでは外部表面の印刷や紫外線の遮断のためのアルミニウムコーティングなどによってパウチの内部を視覚的に確認することが難しいため、相当量の残留液が残され、残留液による無駄遣いが発生して顧客の不満が生ずる可能性があり、追後意図せず残留液が流れ出て問題が発生する点等を考慮すると、残留液に対する解決策が切実に必要である。
【００１１】
そして、普通のパウチは軟性を有する合成樹脂フィルムシート類で作られるためふにゃふにゃし、それにより、ストローを用いてパウチの内容物を飲む時には両手で取って飲むか、パウチの上端を取ってパウチの起立姿勢が安定するようにするが、使用者の便宜性を向上させるためには片手でより自由で楽にパウチを把持してもパウチの起立姿勢が安定することができるようにする技術が必要である。
【００１２】
以上、従来技術の問題点及び課題について説明したが、このような問題点及び課題に対する認識は本発明の技術分野において通常の知識を有する者にとって自明ではない。
【発明の概要】
【発明が解決しようとする課題】
【００１３】
本発明の目的は、飲用時にパウチ内に残留する残留液を低減することができるストロー内蔵型パウチを提供することにある。
【００１４】
また、本発明の他の目的は、飲用時にパウチをより容易に安定的に把持することができるストロー内蔵型パウチを提供することにある。
【課題を解決するための手段】
【００１５】
本発明の一様相によるストロー内蔵型パウチは、周縁が融着された第１シート材と第２シート材との間の空間に液体を収納してストローを内蔵するストロー内蔵型パウチにおいて、
【００１６】
前記パウチはベースのない平板型で、前記パウチ内の底部分で前記第１シート材と前記第２シート材とが会う基底線は最低点１２１、２２１から上向きの直線傾斜を有して前記最低点１２１、２２１と前記直線傾斜が逆三角形態を成し、前記ストローの下端末１１１Ａ、２１１Ａは前記最低点１２１、２２１に位置するが、その状態を保持するように前記ストローの下端が前記第１シート材または前記第２シートに固着されることを特徴とする。
【００１７】
本発明の一様相によるストロー内蔵型パウチは、周縁が融着された第１シート材と第２シート材との間の空間に液体を収納し、ストローを内蔵するストロー内蔵型パウチにおいて、
【００１８】
前記パウチは前記第１シート材の下端部と前記第２シート材の下端部との間にベースが介在された直立型で、前記パウチ内の底部分で、前記第１シート材と前記ベースとが会う第１基底線は前記第１最低点から上向きの直線傾斜を有して前記第１最低点とこれからの直線傾斜が逆三角形態を成し、前記第２シート材と前記ベースとが会う第２基底線は前記第２最低点から上向きの直線傾斜を有して前記第２最低点とこれからの直線傾斜が逆三角形態を成し、前記ストローの下端末は前記第１最低点または前記第２最低点に位置するが、その状態を保持するように前記ストローの下端が前記ベース、前記第１シート材または前記第２シート材に固着されたことを特徴とする。
【００１９】
前記ストロー内蔵型パウチにおいて、前記ストローは前記第１シート材または前記第２シート材と融着され、前記ストローは２以上の樹脂層で構成されるが、最外角にある樹脂層の融点がそれより内側にある他の樹脂層の融点より低いことを特徴とする。
【００２０】
前記ストロー内蔵型パウチにおいて、前記ストローには直径０．１ｍｍ〜３．５ｍｍ大きさのピンホールが一つ以上形成されたことを特徴とする。
【００２１】
前記ストロー内蔵型パウチにおいて、前記第１シート材または前記第２シート材には内側に突出される複数の突起部が形成されたことを特徴とする。
【００２２】
前記ストロー内蔵型パウチにおいて、前記第１シート材または前記第２シート材には前記ストローの下端末を少なくとも露出する透明窓または半透明窓が形成されたことを特徴とする。
【００２３】
前記ストロー内蔵型パウチにおいて、前記第１シート材または前記第２シート材の外側表面には前記ストローと対応する位置、または前記ストローの下端末と対応する位置にストロー模様の絵やストローを表示する絵が印刷されたことを特徴とする。
【００２４】
前記ストロー内蔵型パウチにおいて、前記ストローの下端には湾曲部が形成され、前記ストローの下端末は前記パウチの中央部と辺縁との間に位置することを特徴とする。
【００２５】
前記ストロー内蔵型パウチにおいて、前記第１最低点または前記第２最低点の中の何れか一つの位置は他の一つの位置より１ｍｍ以上低く形成されたことを特徴とする。
【００２６】
前記ストロー内蔵型パウチにおいて、前記第１シート材または前記第２シート材には計量用目盛り表示窓が形成されたことを特徴とする。
【００２７】
前記ストロー内蔵型パウチにおいて、前記融着された周縁には指掛け用穿孔が形成されたことを特徴とする。
【００２８】
前記ストロー内蔵型パウチにおいて、前記第１シート材または前記第２シート材は前記液体が見えるように素地を薄い単色で色相処理した半透過性であることを特徴とする。
【００２９】
前記ストロー内蔵型パウチにおいて、前記ストローは前記融着された周縁の中で一側面の側面融着部と近接させた状態で前記第１シート材及び前記第２シート材と融着され、前記側面融着部と、前記第１シート材と前記ストローが融着された第１重畳融着部と、前記第２シート材と前記ストローが融着された第２重畳融着部がＹ字状のビームを形成することを特徴とする。
【００３０】
前記ストロー内蔵型パウチにおいて、前記パウチの上端部は瓶の首（ｂｏｏｔｔｌｅｎｅｋ）形状、動物形状、円形、三角形、四角形、六角形またはキャラクター形状からなることを特徴とする。
【発明の効果】
【００３１】
本発明の一様相によれば、基底線は下へ垂れた半円または楕円のような曲線ではない直線の形態で、下へ垂れた半円または楕円に比べて直線の傾斜を有するので、同じストローの下端末の高さでも残留液の量がより少なくなるという長所がある。また、本発明の一様相によれば、ストローの下端末が最低点に固着されるので、ストローの吸入口を最後の残留液が集まる所に安定的に保持することができるという長所がある。従来のパウチでは基底線が水平であって最低点さえない一方、本発明の一様相によれば、逆三角の深い所に最低点を形成し、その深い所で微量の残留液まで吸いこむことができるという長所がある。
【００３２】
また、本発明の一様相によれば、ストローの下端に湾曲部が形成され、ストローの下端末はパウチの中央部と辺縁との間に位置し、最低点は中央から辺縁に移動して、下端末を中央部に形成するよりはストローの全体経路の長さが短くなって液体の流れが早くなるという長所がある。
【００３３】
また、本発明の一様相によれば、融着部となるＹ字状の垂直ビームによって、パウチに堅固な強直性を付与し、使用者が片手でパウチを取っても棒を手に握ったように心強くて楽に感じ、飲用時にパウチをより容易で、且つ安定的に把持することができ、液体の内容物によってふにゃふにゃする従来のパウチに比べて本発明の一様相によるパウチは片手に取って、特にパウチの下端を取っても安定した姿勢で飲み物を飲むことができるという長所がある。
【００３４】
また、本発明の一様相によれば、ストロー内蔵型パウチのストローは、２以上の樹脂層で構成されるが、最外角にある樹脂層の融点がそれより内側にある他の樹脂層の融点より低いもので、パウチ内にストローを所定の位置に迅速で、且つ正確に融着させることができるという長所がある。
【００３５】
また、本発明の一様相によれば、ストローには直径０．１ｍｍ〜３．５ｍｍの大きさのピンホールが一つ以上形成されるか、第１シート材または第２シート材には内側に突出される複数の突起部が形成されるもので、パウチの内部に空気を吹き込む手段として利用することができたり、またはパウチの両壁が液体に密着されることを防止することができるという長所がある。
【００３６】
また、本発明の一様相によれば、ストロー１１の下端末１１Ａを少なくとも露出する透明窓または半透明窓によって使用者が残留液を確認しながら飲用することができるという長所があり、印刷されたストロー模様の絵６０やストローを表示する絵によって使用者にストローの存在を知らせ、また、残留液を最小化することができるパウチの姿勢を取るのに役に立つことができるという長所がある。
【図面の簡単な説明】
【００３７】
【図１】本発明の第１実施例による平板型ストロー内蔵型パウチを示した図面であって、図１Ａは正面透視図であり、図１ＢはＡ−Ａ`断面図であり、図１Ｃは逆三角形態に関する説明図である。
【図２】本発明の第１実施例による平板型ストロー内蔵型パウチの変形例を示した図面であって、図２Ａは正面透視図であり、図２ＢはＢ−Ｂ`断面図であり、図２Ｃは逆三角形態に関する説明図である。
【図３】本発明の第２実施例による直立型ストロー内蔵型パウチを示した図面であって、図３Ａは正面透視図であり、図３ＢはＣ−Ｃ`断面図であり、図３Ｃは逆三角形態に関する説明図である。
【図４】本発明の第２実施例による直立型ストロー内蔵型パウチの変形例を示した図面であって、図４Ａは正面透視図であり、図４ＢはＣ−Ｃ`断面図であり、図４Ｃは逆三角形態に関する説明図である。
【図５】図５Ａはシールバー（Ｓｅａｌ  Ｂａｒ）の例を示した図であり、図５Ｂは２以上の樹脂層で構成されるストローの断面を示した断面図であり、図５Ｃは透明窓または半透明窓が形成されたパウチを示した図面であり、図５Ｄはストロー模様の絵６０が印刷されたパウチを示した図面である。
【発明を実施するための形態】
【００３８】
添付した図面を参照して本発明の実施例について本発明が属する技術分野で通常の知識を有する者が容易に実施することができるように詳しく説明する。しかしながら、本発明は各種異なる形態で具現されることができ、ここで説明する実施例に限定されない。そして図面で本発明を明確に説明するために説明と関係のない部分は省略し、明細書全体を通じて類似する部分に対しては類似する名称及び図面符号を用いる。
【００３９】
図１は本発明の第１実施例による平板型ストロー内蔵型パウチを示した図面であって、図１Ａは正面透視図であり、図１ＢはＡ−Ａ`断面図であり、図１Ｃは逆三角形態に関する説明図である。
【００４０】
図２は本発明の第１実施例による平板型ストロー内蔵型パウチの変形例を示した図面であって、図２Ａは正面透視図であり、図２ＢはＢ−Ｂ`断面図であり、図２Ｃは逆三角形態に関する説明図である。
【００４１】
本発明の第１実施例によるストロー内蔵型パウチ１００、２００は、第１シート材１０１、２０１、第２シート材１０２、２０２及びストロー１１１、２１１を含むが、第１シート材１０１、２０１と第２シート材１０２、２０２が融着された周縁は第１側面融着部１１０Ａ、２１０Ａ、第２側面融着部１１０Ｂ、２１０Ｂ、上端融着部１１０Ｃ、２１０Ｃ及び下端融着部１１０Ｄ、２０１Ｄを備える。
【００４２】
周縁が融着された第１シート材１０１、２０１と第２シート材１０２、２０２との間の空間には液体（飲用水）を収納し、ストロー１１１を内蔵する。そして、パウチはベースのない平板型で（図３及び図４の直立型パウチに対比される）、パウチの下端でも第１シート材１０１、２０１と第２シート材１０２、２０２が直接融着される。
【００４３】
第１シート材１０１、２０１及び第２シート材１０２、２０２は内壁としてＣＰＲポリプロピレン、低密度ポリエチレン、線形低密度ポリエチレンなどの合成樹脂層を含むことができ、紫外線の遮断のためのアルミニウムなどの金属ホイル層及び印刷層などをさらに含むことができる。
【００４４】
パウチ１００、２００内の底部分では第１シート材１０１、２０１と第２シート材１０２、２０２とが会う基底線１２０、２２０が自然に形成され、残留する少量の液体は基底線１２０、２２０を含む谷間に沿って動くようになる。
【００４５】
本発明の一特徴によれば、基底線１２０、２２０はその最低点１２１、２２１から上向きの直線傾斜を有して最低点１２１、２２１とこのような直線傾斜が逆三角形態を成し、ストロー１１１、２１１の下端末１１１Ａ、２１１Ａは基底線１２０、２２０の最低点１２１、２２１に位置するが、その状態を保持するようにストロー１１１の下端は第１線形融着部１１３Ａ、２１３Ａなどによって第１シート材１０１、２０１または第２シート１０２、２０２に固着される。
【００４６】
ストローの下端末１１１Ａ、２１１Ａは最低点１２１、２２１と同一地点で会って固着されることで、パウチ内の液体は傾斜に沿って自動に最低点１２１、２２１に集まるようになり、最低点１２１、２２１に固着されたストロー１１１、２１１の下端末１１１Ａ、２１１Ａは吸入口に集まっている液体全部を吸い上げて残留液をほとんど残さなくなる。
【００４７】
本発明の一特徴によれば、基底線１２０、２２０は下へ垂れた半円または楕円のような曲線ではない直線の形態で、下へ垂れた半円または楕円に比べて直線の傾斜を持って同じストローの下端末の高さでも残留液の量がより少なくなる。また、本発明の一特徴によれば、ストロー１１１、２１１の下端末１１１Ａ、２１１Ａが最低点１２１、２２１に固着されるので吸入口を安定的に保持することができる。
【００４８】
従来のパウチでは基底線が水平であって最低点さえない一方、本発明の一様相によれば、逆三角の深い所に最低点を形成し、その深い所で微量の残留液まで吸いこむことができる。
【００４９】
一方、図２の変形例では、ストロー２１１の下端に湾曲部２１１Ｃが形成され、ストローの下端末２１１Ａはパウチの中央部と辺縁との間に位置する。最低点２２１は中央から辺縁に移動して、下端末２１１Ａを中央部に形成するよりはストロー２１１の全体経路長さが短くなって液体の流れが早くなるという長所がある。
【００５０】
そして、切口１４０、２４０を利用してパウチ１００、２００の上端を開封した後、ストロー１１１、２１１の伸縮部１１１Ｂ、２１１Ｂを曲げたり長さを伸ばして便利に用いることができる。ストローの上端部に形成された伸縮部１１１Ｂ、２１１Ｂは手や歯で引っ張ると伸縮部の長さを略１５０％程度さらに得ることができる。
【００５１】
線形融着部１１３Ａ、１１３Ｂ、２１３Ａ、２１３Ｂ、２１３Ｃは、ストロー１１１、２１１を第１シート材１０１、２０１または／及び第２シート材１０２、２０２に固定する役割を果たすが、パウチ１００、２００の生産過程でストローを固定する。生産過程では第１シート材１０１、２０１または第２シート材１０２、２０２の中で一つのシート材（後述する突起部１３０、２３０は予め形成されている可能性がある）にストローを載せて位置させた後、線形融着部の形状を有するシールバー（Ｓｅａｌ  Ｂａｒ）の熱で融着させてストローを固定する。その後、反対側のシート材を覆った後周縁を構成する融着部の中で上端融着部１１０Ｃ、２１０Ｃを除いた残り融着部と後述する重畳融着部１１４、２１４などの融着部を一度にまたは分けて熱で融着させる。そして、パウチに液体（飲用水）を注入した後上端融着部１１０Ｃ、２１０Ｃを融着させて液体及びストローを内蔵するパウチを生産することができる。
【００５２】
本出願で「線形融着部」の「線形」は直線またはダートの連続型などを含んで広範囲の融着手段によることであることができる。
【００５３】
ストロー１１１．２１１は融着された周縁の中の何れか一側面の側面融着部１１０Ａ、２１０Ａと近接させた状態で第１シート材及び第２シート材と融着され、前記側面融着部１１０Ａ、２１０Ａと、第１シート材とストローが融着された第１重畳融着部１１４Ａ、２１４Ａと、第２シート材とストローが融着された第２重畳融着部１１０Ｂ、２１０ＢとがＹ字状のビームを形成する。
【００５４】
図５Ａに示したシールバー（Ｓｅａｌ  Ｂａｒ）のようなものを利用してシート材とストローを融着させることによって、第１重畳融着部１１４Ａ、２１４Ａ及び第２重畳融着部１１４Ｂ、２１４Ｂを形成することができ、図１Ｂ及び図２Ｂの断面図に示したように、第１側面融着部１１０Ａ、２１０Ａ、第１重畳融着部１１４Ａ、２１４Ａ及び第２重畳融着部１１４Ｂ、２１４Ｂはその断面状はＹ字状で、長さ方向に延長するビームを形成し、まるで建築に利用される型鋼のように作用する（図１Ｂ及び図２Ｂに示した断面図ではＹ字状ビームに空隙がないが、若干空隙があることもある）。
【００５５】
熱による融着後、シート材及びストローを構成する合成樹脂は収縮し、剛性が増加することがある。柔らかいポリエチレンフィルム原緞も加熱融着すればその融着部位は冷却と同時に収縮されて融着部が厚くなりながらぱりっとし、ひいてはＹ字状のビーム構造を形成することで骨組みのような強直性を得てより堅固になる。
【００５６】
本発明の一特徴によれば、融着部となったＹ字状の垂直ビームによって、パウチに堅固な強直性を付与し、使用者が片手でパウチを取っても棒を手に握ったように心強くて楽に感じ、飲用時にパウチをより簡単で安定的に把持することができ、液体の内容物によってふにゃふにゃする従来のパウチに比べて本発明の一様相によるパウチは片手に取って、特にパウチの下端を取っても安定した姿勢で飲み物を飲むことができるという効果を奏する。
【００５７】
本発明の一実施例によるストロー内蔵型パウチでストローはマルチレイヤー構造を有する。ストローは第１シート材または第２シート材と融着され、図５Ｂに例示されたように２以上の樹脂層で構成されるが、最外角にある樹脂層１１−１の融点がそれより内側にある他の樹脂層１１−２の融点より低いことを特徴とする。
【００５８】
時間当り数千枚ずつ完製品を作る大量生産工程ではパウチ内にストローを所定の位置に迅速で、且つ正確に融着させなければならないので、ストローの内側（内径）にある樹脂層には従来通り融点の高いポリプロピレンや高密度のポリエチレンなどの原料を用いても外表面の樹脂層にはそれより融点が低く、パウチの内壁の物性と相溶性の良い低密度ポリエチレンまたは線形低密度ポリエチレンなどや融点がもっと低くて熱封合開始温度がより低く、耐寒性の良い低温機能性樹脂類を用いて２−レイヤーやそれ以上のマルチレイヤー生産技法で外径表面をコーティングすることが生産性の向上のためにも好ましい。レトルトパウチは１００℃〜１４０℃の高温殺菌が適用されるので、ストローにおいても耐熱性が良く、内壁樹脂と相溶性の良いＣＰＲポリプロピレンなどを外表面の樹脂層に用いることができる。
【００５９】
そして、ストロー１１１、２１１には直径０．１ｍｍ〜３．５ｍｍの大きさのピンホールが一つ以上形成され、第１シート材１０１、２０１または第２シート材１０２、２０２には内側に突出される複数の突起部１３０、２３０が形成される（図１Ｂ及び図２Ｂ参照）。
【００６０】
飲用時にパウチの内壁同士が液体に密着されて流れが止められることもあるが、これを防止するためにストローの中端部または下端部に直径０．１ｍｍ〜３．５ｍｍの大きさのピンホール１１２、２１２をパウチとストローの規格に応じて一つ以上形成することにより、パウチの内部に空気を吹入する手段とし、少なくとも一方の内壁にエンボシング形態の突起部１３０、２３０を形成してパウチの両壁が液体に密着されることを防止することで、液体の流れが停止されず、円滑に下へ流れるようにして集水時間を短縮することができる。
【００６１】
突起部１３０、２３０は両壁の密着防止用として形成されるが、商品のブランド名や商標またはマークなどを突起させて活用することができ、大きさや位置などは任意に設定することができる。
【００６２】
図３は本発明の第２実施例による直立型ストロー内蔵型パウチを示した図面であって、図３Ａは正面透視図であり、図３ＢはＣ−Ｃ`断面図であり、図３Ｃは逆三角形態に関する説明図である。
【００６３】
図４は本発明の第２実施例による直立型ストロー内蔵型パウチの変形例を示した図面であって、図４Ａは正面透視図であり、図４ＢはＣ−Ｃ`断面図であり、図４Ｃは逆三角形態に関する説明図である。
【００６４】
以下、本発明の第１実施例に比べて同一または類似する部分に関する説明は省略し、相違点を中心に説明する。
【００６５】
パウチ３００、４００は第１シート材３０１、４０１の下端部と第２シート材３０２、４０２の下端部との間にベース３３３、４３３が介在された直立型である。
【００６６】
そして、パウチ３００、４００内の底部分で第１シート材３０１、４０１とベース３３３、４３３とが会う第１基底線３２０Ａ、４２０Ａは第１最低点３２１Ａ、４２１Ａから上向きの直線傾斜を有して第１最低点３２１Ａ、４２１Ａとこれからの直線傾斜が逆三角形態を成し、第２シート材３０２、４０２とベース３３３、４３３とが会う第２基底線３２０Ｂ、４２０Ｂは第２最低点３２１Ｂ、４２１Ｂから上向きの直線傾斜を有して第２最低点３２１Ｂ、４２１Ｂとこれからの直線傾斜が逆三角形態を成す。そして、ストロー３１１、４１１の下端末３１１Ａ、４１１Ａは第１最低点または第２最低点に位置し、その状態を保持するようにストローの下端がベース、第１シート材または第２シート材に固着される。
【００６７】
本発明の一特徴によれば、基底線は下へ垂れた半円または楕円のような曲線ではない直線の形態で、下へ垂れた半円または楕円に比べて直線の傾斜を有して同じストローの下端末の高さでも残留液の量がもっと少なくなる。また、本発明の一特徴によれば、ストローの下端末３１１Ａ、４１１Ａが最低点に固着されるので、吸入口を安定的に保持することができる。本発明の一様相によれば、逆三角の深い所に最低点を形成し、その深い所で微量の残留液まで吸いこむことができる。
【００６８】
そして、従来の直立型パウチでは、重量の均衡保持などのためにパウチの真中部を中心に左・右両方対称されるように構成されることが不文律のように慣用化されて来たが、図３の実施例によるパウチ３００のようにその不文律を壊して最低点が左中間や右中間地点まで移動しても重量の均衡が保持されてパウチの直立に差し支えがないという新しい事実を見つけてこれを適用したのである。
【００６９】
図４に示した直立型パウチ４００は担持容量が多少多い固形のガラス瓶やプラスチック瓶などに対応するための瓶の首型のパウチであって、ストロー４１１がパウチの中央地点に垂直に位置して線形シーリングでパウチの内壁に堅たく固着され、ストローの下端末４１１Ａが最低点４２１と１ヶ所で会うようにセッティングされたのである。
【００７０】
そして、第１最低点３２１Ａ、４２１Ａまたは第２最低点３２１Ｂ、４２１Ｂの中の何れか一つの位置は他の一つの位置より１ｍｍ以上低く形成される。パウチ３００、４００の底にただ一つの最低点を作るために、パウチ内のストローが固着された面にある逆三角最低点の位置が反対側より１ｍｍ以上、略１ｍｍ〜５ｍｍより低く形成され、底の最低点を１ヶ所にしてここにストローの下端末が固着されるようにする。
【００７１】
そして、第１シート材または第２シート材には計量用の目盛り表示窓が形成される。特に、直立型パウチに酒類などを包装する場合などにおいては、担持容量を一定液ずつ分けて飲む必要があり、この時、担持液の残量の確認などのために目盛りが表示された透明窓または半透明窓を形成する。
【００７２】
そして、融着された周縁には指掛け用穿孔４３０が形成される（図４参照）。一般に直立型は小型パウチに比べて規格が大きくて、容量が多く、手で持つと滑り、重量感を感じることがあるが、パウチの上端両翼に指太さ程度の指掛け用穿孔４３０を形成して、取り扱い上の便宜を提供することができる。
【００７３】
そして、第１シート材または第２シート材は液体が見えるように素地を薄い単色で色相処理した半透過性にすることができる。清い飲み物が見える透明パウチ原緞の素地を水色、緑色、黄色、オレンジ色、赤色などのように美しくて薄い単色で色相処理して内容物も紫外線から保護し、人々に視覚的、感性的に清凉感も与えることができる。薄い単色処理は一側面全体ではなく、部分的でも所期の目的は達成することができる。
【００７４】
そして、パウチの上端部は瓶の首（ｂｏｏｔｔｌｅｎｅｋ）形状、動物形状、円形、三角形、四角形、六角形またはキャラクター形状にすることができる。図４Ａのパウチの上端部は瓶の首（ｂｏｔｔｌｅｎｅｃｋ）形状であるが、これ以外にも動物形状や円形、三角形、四角形、六角形やキャラクターなど様々な事物の形状に変形することができる。
【００７５】
また、図５Ｃに例示されたように、第１シート材または第２シート材にはストロー１１の下端末１１Ａを少なくとも露出する透明窓または半透明窓５０が形成されることができ、図５Ｄに例示されたように、第１シート材または第２シート材の外側表面にはストローと対応する位置、またはストローの下端末と対応する位置にストロー模様の絵６０やストローを表示する絵が印刷されることができる。
【００７６】
前述したように、大部分のパウチでは外部表面の印刷や紫外線の遮断のためのアルミニウムコーディングなどによってパウチの内部を視覚的に確認することは困難であるが、ストロー１１の下端末１１Ａを少なくとも露出する透明窓または半透明窓５０によって使用者が残留液を確認しながら飲用することができるという長所があり、印刷されたストロー模様の絵６０やストローを表示する絵によって使用者にストローの存在を知らせるとともに、残留液を最小化することができるパウチの姿勢を取るのに役に立つという長所がある。
【図１】
2019500287.tif 000003
【図２】
2019500287.tif 000004
【図３（Ａ）】
2019500287.tif 000005
【図３（Ｂ）】
2019500287.tif 000006
【図３（Ｃ）】
2019500287.tif 000007
【図４（Ａ）】
2019500287.tif 000008
【図４（Ｂ）】
2019500287.tif 000009
【図４（Ｃ）】
2019500287.tif 000010
【図５】
2019500287.tif 000011
【国際調査報告】
2019500287.tif 000012
2019500287.tif 000013
2019500287.tif 000014
2019500287.tif 000015